(57)【特許請求の範囲】
【請求項１】
所定の基板を収容可能に組合される複数のケース部材を開閉不能に封止する封止部を備える遊技機において、
前記封止部は、
前記複数のケース部材の組合せにより形成される係止孔と、
前記係止孔への挿入後に脱抜不能に係止される係止具と、
を備え、
前記係止孔は、
前記係止具の挿入方向前方に形成される前方係止孔と、
前記前方係止孔の後方に形成される後方係止孔と、
を有し、
前記係止具は、
当該係止具の挿入方向前方に形成され、前記前方係止孔に挿入されて脱抜不能に係止される前方係止部と、
前記前方係止部の挿入方向後方に形成され、前記後方係止孔に挿入されて脱抜不能に係止される後方係止部と、
を有し、
前記前方係止部は、
前方頭部と、
前記前方頭部に対して挿入方向後方に形成され、前記前方係止孔の内側周縁に係止される前方爪部と、
を有し、
前記後方係止部は、
後方頭部と、
前記後方頭部に対して挿入方向後方に形成され、前記後方係止孔の内側周縁に係止される後方爪部と、
を有し、
前記後方頭部は、
前記前方係止孔の入口に対向するとともに当該入口よりも大きく形成された対向面を有し、
前記対向面は、
前記前方係止孔の外側周縁に当接するとともに当該前方係止孔の入口を塞ぐ
ことを特徴とする遊技機。
【請求項２】
前記前方係止孔は、
前記前方頭部を収容する収容部を有する
ことを特徴とする請求項１記載の遊技機。
【請求項３】
前記係止具は、
前記後方係止部の後端側に、前記後方係止孔の入口を塞ぐ蓋部を有し、
前記係止孔は、
前記後方係止孔の入口周縁に前記蓋部の周縁が収まる凹部を有する
ことを特徴とする請求項１又は２記載の遊技機。
【請求項４】
前記封止部の予備として、複数のケース部材を開閉不能に封止する予備封止部を備え、
前記予備封止部は、
前記複数のケース部材の組合せにより形成される予備係止孔と、
前記予備係止孔への挿入後に脱抜不能に係止される予備係止具と、
を備え、
前記係止具の前記係止孔への挿入方向と、前記予備係止具の前記予備係止孔への挿入方向と、が異なる
ことを特徴とする請求項１〜３のいずれか一項に記載の遊技機。
【請求項５】
前記封止部による封止状態を解除する手段と、前記予備封止部による封止状態を解除する手段と、が同じである
ことを特徴とする請求項４に記載の遊技機。
【発明の詳細な説明】
【技術分野】
【０００１】
本発明は、所定の基板を収容可能に組合される複数のケース部材を開閉不能に封止する封止部を備える遊技機に関する。
【背景技術】
【０００２】
パチンコ機やスロットマシンなどの遊技機は、通常、複数の基板を備えており、このような基板の中には基板ケースなどのケース部材に収容されているものがある。
特に、遊技機の制御等を行う制御基板は、単に基板ケースに収容されるだけでなく、開閉不能に封止された状態で収容される（例えば特許文献１）。
【先行技術文献】
【特許文献】
【０００３】
【特許文献１】特開２００４−３５７９２０号公報
【発明の概要】
【発明が解決しようとする課題】
【０００４】
ところが、このような従来の遊技機には、改善の余地があった。
【課題を解決するための手段】
【０００５】
上記目的を達成するため、本発明の遊技機は、所定の基板を収容可能に組合される複数のケース部材を開閉不能に封止する封止部を備える遊技機において、前記封止部は、前記複数のケース部材の組合せにより形成される係止孔と、前記係止孔への挿入後に脱抜不能に係止される係止具と、を備え、前記係止孔は、前記係止具の挿入方向前方に形成される前方係止孔と、前記前方係止孔の後方に形成される後方係止孔と、を有し、前記係止具は、当該係止具の挿入方向前方に形成され、前記前方係止孔に挿入されて脱抜不能に係止される前方係止部と、前記前方係止部の挿入方向後方に形成され、前記後方係止孔に挿入されて脱抜不能に係止される後方係止部と、を有し、前記前方係止部は、前方頭部と、前記前方頭部に対して挿入方向後方に形成され、前記前方係止孔の内側周縁に係止される前方爪部と、を有し、前記後方係止部は、後方頭部と、前記後方頭部に対して挿入方向後方に形成され、前記後方係止孔の内側周縁に係止される後方爪部と、を有し、前記後方頭部は、前記前方係止孔の入口に対向するとともに当該入口よりも大きく形成された対向面を有し、前記対向面は、前記前方係止孔の外側周縁に当接するとともに当該前方係止孔の入口を塞ぐ構成としてある。
【図面の簡単な説明】
【０００６】
【図１】遊技機の外観を示す正面図である。
【図２】遊技機の内部構成を示す斜視図である。
【図３】遊技機の制御構成を示すブロック図である。
【図４】主基板ユニットの全体斜視図である。
【図５】ケース開状態の主基板ユニットを示す斜視図である。
【図６】連結部とカバー部材の取り付け関係を示す斜視図である。
【図７】カバー部材の斜視図である。
【図８】本係止具を示す図であり、（ａ）は正面図、（ｂ）は右側面図、（ｃ）は底面図、（ｄ）は平面図、（ｅ）は前方から見た斜視図、（ｆ）は後方から見た斜視図である。
【図９】予備係止具を示す図であり、（ａ）は正面図、（ｂ）は右側面図、（ｃ）は底面図、（ｄ）は平面図、（ｅ）は斜視図である。
【図１０】本係止孔を示す図であり、（ａ）はケース開状態を示す断面図、（ｂ）はケース閉状態を示す断面図である。
【図１１】本封止部の説明図であり、（ａ）は本係止具挿入前の断面斜視図（ｉ）及び断面図（ｉｉ）、（ｂ）は本係止具挿入後の断面斜視図（ｉ）及び断面図（ｉｉ）である。
【図１２】予備封止部の説明図であり、（ａ）はケース開状態を示す断面図、（ｂ）はケース閉状態を示す断面図、（ｃ）は予備係止具挿入後の断面図である。
【図１３】封止解除手段の説明図であり、（ａ）は封止解除前の図、（ｂ）はカバー部材の薄肉部を破壊した図、（ｃ）はカバー部材の側面部をせん断した図、（ｄ）は側面部の一部を除去した図、（ｅ）は連結部をせん断した図である。
【図１４】設定キーユニットの説明図であり、（ａ）は設定キーユニット取り付け完成図、（ｂ）は分解斜視図である。
【図１５】ネジカバー部材の図であり、（ａ）は正面図、（ｂ）は右側面図、（ｃ）は後方側面図、（ｄ）は前方側面図、（ｅ）は前方から見た斜視図、（ｆ）は後方から見た斜視図である。
【図１６】ネジカバー部材の取り付け方法を説明する図であり、（ａ）は取り付け前の斜視図（ｉ）及び断面図（ｉｉ）、（ｂ）は取り付け後の斜視図（ｉ）及び断面図（ｉｉ）である。
【発明を実施するための形態】
【０００７】
本発明に係る遊技機の好ましい実施形態について、図１〜図１６を参照して説明する。
【０００８】
スロットマシン１００は、遊技機の一例であり、従来のスロットマシンと同様に、複数のリール１４１ａ，１４１ｂ，１４１ｃを回転させることによって遊技媒体であるメダルを獲得することができる回胴式遊技機を構成している。
【０００９】
具体的には、スロットマシン１００は、図１、２に示すように、筐体１００ｂと、筐体１００ｂ前面側を覆う前扉１００ａとから構成されている。
前扉１００ａは、筐体１００ｂにヒンジ等を介して開閉可能に取り付けられる扉体で、この前面側には、遊技者に操作される複数の操作部などが設けられている。
【００１０】
例えば、操作部として、機内にメダルを投入するためのメダル投入口１２０が設けられ、所定数（例えば、３枚）のメダルがメダル投入口１２０から投入されることで、メダル投入口１２０と連通するメダルセレクタ１２０ｂによってメダルが検出され、ゲーム開始可能な状態となる。
【００１１】
また、押下操作可能なベットボタン１２０ａ（例えば、マックスベットボタン）が設けられ、操作に応じて内部的に記憶したクレジットメダルからデータ形式のメダルをゲームに投入することもできる。
【００１２】
また、リール１４１ａ，１４１ｂ，１４１ｃの回転を始動させるスタートレバー１３０が設けられ、ゲーム開始可能な状態において遊技者により操作されることで、スロットマシン遊技が開始され、リール１４１ａ，１４１ｂ，１４１ｃが回転を開始する。
【００１３】
また、各リール１４１に対応して停止ボタン１５０ａ，１５０ｂ，１５０ｃが設けられており、遊技者により各停止ボタン１５０が押下操作されることで、回転している各リール１４１を停止させることができる。
【００１４】
また、前扉１００ａには、操作部の他にも様々な装置が設けられ、例えば、停止状態にある各リール１４１に表された縦方向に連続する３つの図柄が視認可能な表示窓１６０、メダルが払い出されるメダル払出口１７０ｂなどが設けられている。
また、ＬＥＤなどの発光手段を備える発光部１１０、液晶表示器などの所定の映像表示手段を備える表示部１８０、所定音を出力可能なスピーカなどの音出力手段を備える出音部１９０などの遊技演出用出力部が設けられている。
【００１５】
一方、筐体１００ｂは、筐体構造を有し、スロットマシン遊技に必要な様々な機械、装置などが収納されている。
【００１６】
例えば、リール１４１ａ，１４１ｂ，１４１ｃ、各リール１４１を回転させる図示しないステッピングモータ及び回転位置を検出するセンサなどを備えるドラムユニット１４０が設けられている。
また、メダルの貯留・払い出し行うメダル払出装置１７０が設けられ、払い出されたメダルはメダル払出口１７０ｂを介して遊技者に提供される。
また、メダル払出装置１７０には、メダルを貯留するホッパー１７０ａが設けられ、メダル投入口１２０より投入されたメダルがメダルセレクタ１２０ｂを介してホッパー１７０ａに誘導される。
【００１７】
また、筐体１００ｂには、スタートレバー１３０、停止ボタン１５０などの操作部からの操作信号に基づいて、ドラムユニット１４０、メダル払出装置１７０などの各装置を制御することでスロットマシン遊技を実行可能な主制御基板２（図３参照）の収容された主基板ユニット１が設けられている。
主制御基板２は、ＣＰＵなどを備えるコンピュータとして構成され、例えば、ゲーム開始可能な状態において、スタートレバー１３０に対する操作を検知すると、各リール１４１の回転を開始させる。
また、これと同時に、再遊技役、小役、ボーナスなどの当選役を抽選により決定する内部抽選処理を実行し、各リール１４１の回転中において、各停止ボタン１５０に対する押下操作を検知すると、抽選結果に対応した図柄の組合せで停止するよう、回転している各リール１４１の停止制御を行う。
また、主制御基板２は、停止した各リール１４１に表された縦方向に連続する３つの図柄の組合せを判定し、小役に対応する図柄の組合せでの停止を判定したときには、所定数のメダルを払い出すようにメダル払出装置１７０を制御する。
【００１８】
また、筐体１００ｂには、スロットマシン遊技に同期した演出を実行可能な副制御基板２１（図３参照）の収容された副基板ユニット２０が設けられている。
副制御基板２１は、主制御基板２と同様にＣＰＵなどを備えるコンピュータとして構成され、主制御基板２から送信される制御コマンドに基づいて発光部１１０、表示部１８０、出音部１９０などの演出用出力部を制御して、スロットマシン遊技に同期した演出を行わせる。例えば、主制御基板２からボーナス遊技開始を示す制御コマンドを受信すると、発光部１１０を所定の態様で発光させ、表示部１８０に所定の映像を表示させる。また、所定のファンファーレ音を出音部１９０から出力させる。
スロットマシン１００は、このような一般的なスロットマシンが備える構成に加え、主基板ユニット１、副基板ユニット２０などの基板を備える基板ユニットが以下に示す特徴的な構成を備えている。以下の説明では、特徴的な構成を主基板ユニット１に適用した場合について説明する。
【００１９】
［主基板ユニット］
主基板ユニット１は、図４〜１６に示すように、主制御基板２、上ケース部材３、下ケース部材４、カバー部材５、本係止具６、予備係止具７、設定キーユニット８、及びネジカバー部材９などの複数の部材から構成されている。
【００２０】
主制御基板２は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品が実装された部品実装面２ａと、これらの部品のリード部を半田接合する半田面２ｂとを有するプリント基板で構成され、このような主制御基板２は、例えば、上ケース部材３に所定のネジにより螺着された状態で、上ケース部材３と下ケース部材４の間に収容される（図５参照）。
【００２１】
上ケース部材３と下ケース部材４は、共に矩形状のケース構造を有し、容易に破壊できないように、無色透明な合成樹脂（例えば、ポリカーボネート）で形成されている。
上ケース部材３は、主制御基板２の部品実装面２ａ側を被覆可能、下ケース部材４は、半田面２ｂ側を被覆可能に構成されている。また、ケース部材３，４は、これらを開閉可能に軸支するヒンジ１ａを備え、このヒンジ１ａは、上ケース部材３と下ケース部材４とを閉じたケース閉状態において、ヒンジ１ａ側からこれらのケース部材を開放することができないように構成してある。
また、主基板ユニット１は、下ケース部材４側が筐体１００ｂ奥に面するとともに、上ケース部材３側が筐体１００ｂの正面側開口を向くように、すなわち、部品実装面２ａが正面から見えるよう、筐体１００ｂ内に配置されている。
【００２２】
また、主基板ユニット１は、ヒンジ１ａの設けられた一辺に対向する対辺側において、上ケース部材３と下ケース部材４とを開閉不能に封止する封止部１０を備えている（図４参照）。
封止部１０は、所定の不正改造から主制御基板２を保護するための上ケース部材３と下ケース部材４とを開閉不能にロックするロック手段であり、遊技機メーカー出荷時において使用される本封止部１１と、検査確認等のために封止解除後に再び封止するときに使用される予備封止部１２とを備えている。
【００２３】
[本封止部]
本封止部１１は、本発明に係る封止部の一例であり、封止部１０のそれぞれ外側に対応する位置に設けられており、上ケース部材３側に形成される本封止部上３１と、下ケース部材４側に形成される本封止部下４１と、本係止具６と、により構成される。
【００２４】
本封止部上３１は、図５、６に示すように、部品実装面２ａ及び半田面２ｂに沿って突出形成された部位であり、連結部３４を介して上ケース部材３に接続されている。
本封止部上３１は、下ケース部材４側に向かって突出する凸部３１１を備えている。この凸部３１１には、凸部３１１の突出方向に対して直交する方向（主制御基板２の実装面２ａ，半田面２ｂに沿う方向）に開口し、本係止具６の一部が挿入可能な開口部３１２が形成されている。
【００２５】
本封止部下４１は、図５に示すように、部品実装面２ａ及び半田面２ｂに沿って突出形成された部位であり、下ケース部材４に一体的に形成されている。
本封止部下４１は、凸部３１１と本係止具６を収容可能な凹部４１１、本係止具６を挿入可能な挿入口４１２、本係止具６の先端部が収容される収容部４１３を備えている。
【００２６】
本係止具６は、図８に示すように、挿入方向前方側に形成された前方係止部６１、これの後方に形成された後方係止部６２の二つの係止部、及び後方係止部６２の後端側に蓋部６３を備えている。
各係止部６１，６２は、それぞれ矢じり形状を有し、頭部６１１，６２１と、首部６１２，６２２と、頭部６１１，６２１から斜め後方に向けて延出され弾性変形可能な爪部６１３，６２３と、を備えている。また、前方係止部６１は、図８（ａ）に示すように、後方係止部６２よりも全体的に小さく形成され、前方係止部６１と後方係止部６２は、図８（ｂ）に示すように、ほぼ同じ厚みを有している。
【００２７】
係止孔１１ａは、図１０に示すように、上ケース部材３と下ケース部材４とを組合せたケース閉状態となり（図１０（ｂ）参照）、凸部３１１が凹部４１１に収容されることにより形成される孔であって、本実施形態では、挿入口４１２から収容部４１３までを開口部３１２を介して連通させた「穴」として構成されている。
【００２８】
挿入口４１２は、図１１に示すように、本係止具６の各係止部６１，６２が通過可能（ただし、後方係止部６２は爪部６２３の弾性変形により通過可能）、かつ蓋部６３が通過不能な幅Ｗａを有している。
開口部３１２は、各係止部６１，６２が通過可能な幅Ｗｂを有する後方開口部３１２ａと、前方係止部６１が通過可能（ただし、爪部６１３の弾性変形により通過可能）かつ後方係止部６２（頭部６２１）が通過不能な幅Ｗｃを有する前方開口部３１２ｂと、を備えている。
そして、係止孔１１ａは、収容部４１３から前方開口部３１２ｂまでが前方係止孔、前方開口部３１２ｂから挿入口４１２までが後方係止孔として機能するようになっている。
また、収容部４１３は、頭部６１１を収容可能な空間を有している。
さらに、各幅Ｗａ〜Ｗｃに直交する係止孔１１ａの高さは、本係止具６の厚み（図８（ｂ）参照）よりも僅かに大きいものの、異物が侵入可能な余地はほぼない。
【００２９】
このような構成により、本係止具６を挿入口４１２から係止孔１１ａに押し込み挿入することにより、図１１（ｂ）に示すように、爪部６１３が前方開口部３１２ｂ内側周縁に係止されるとともに、爪部６２３が挿入口４１２内側周縁に係止される。
【００３０】
このような状態において、本係止具６を係止孔１１ａから脱抜するには、爪部６１３，６２３を窄ませる（縮ませる）外力を加える必要があるが、爪部６１３，６２３は本封止部上３１と本封止部下４１に囲まれ外部から遮断された状態にあることから、本係止具６は実質的に係止孔１１ａから脱抜不能となる。
また、各爪部６１３，６２３の係止状態を解除するには、二つの爪部６１３，６２３を同時に窄ませる（縮ませる）外力を加えながら、本係止具６を引き抜かなければならないことから、係止状態の解除がより困難となる。
【００３１】
また、後方係止部６２の頭部６２１は、前方開口部３１２ｂを通過不能であることから、前方開口部３１２ｂすなわち前方係止孔の入口に対向する頭部６２１の対向面６２１ａは前方開口部３１２ｂよりも大きく形成されていることになり、その結果、対向面６２１ａが前方開口部３１２ｂを塞ぐように作用する。
これにより、挿入口４１２さらには前方開口部３１２ｂを通って異物を侵入させ、爪部６１３を窄ませるような外力を加える不正操作を阻止できる。
【００３２】
さらに、挿入口４１２は、これより大きく形成された蓋部６３により塞がれるとともに、蓋部６３の周縁６３１が収まる凹部４１２ａを周縁に備えている。この凹部４１２ａは、蓋部６３よりも僅かに大きい外形を有するとともに、蓋部６３の板厚とほほ同じ又は蓋部６３の板厚よりも深い窪みを有している。
これにより、蓋部６３が凹部４１２ａに収まった状態では、挿入口４１２から係止孔１１ａへの侵入経路がクランク状となることから、係止孔１１ａへの侵入が困難となり、爪部６１３，６２３に対する不正操作を阻止することができる。
【００３３】
このように係止孔１１ａから脱抜不能となった本係止具６により、上ケース部材３と下ケース部材４とが以下のように開閉不能に封止される。
【００３４】
具体的には、例えば、下ケース部材４を下側に配置して主基板ユニット１を定置した状態において、上ケース部材３を持ち上げて主基板ユニット１を開放しようとする外力を加えると、収容部４１３の上面が頭部６１１の上への移動を妨げ、挿入口４１２の上面が首部６２２の上への移動を妨げ、さらに、頭部６２１が凸部３１（頂部３１３）の上への移動を妨げることで、本係止具６が主基板ユニット１の開放を妨げるように作用する。すなわち、本係止具６が閂（かんぬき）として動作し、上ケース部材３と下ケース部材４とを開閉不能に封止する。
【００３５】
このように本封止部１１は、本係止具６が二つの爪部６１３，６２３を備えることにより、爪部が一つのものよりも係止孔１１ａからの脱抜がさらに困難となる。
特に、二つの爪部６１３，６２３はそれぞれ独立して変位するため、いずれか一方の爪部を窄ませる（縮ませる）外力を加えたとしても、他方の爪部には窄ませる（縮ませる）外力が加わらないので、爪部が一つのものよりも係止孔１１ａからの脱抜がさらに困難となる。
また、対向面６２１ａが前方開口部３１２ｂを塞ぎ、蓋部６３が挿入口４１２を塞ぐことから、前方開口部３１２ｂ及び挿入口４１２からの異物の侵入を阻止することができる。
【００３６】
[予備封止部]
予備封止部１２は、本発明に係る予備封止部の一例であり、封止部１０のそれぞれ内側に対応する位置に設けられており（図４参照）、本封止部１１が破壊され、主基板ユニット１の封止状態が解除された後、さらに主基板ユニット１を再封止するときに用いる予備の封止部である。
本実施形態の予備封止部１２は、上ケース部材３側に形成される予備封止部上３２と、下ケース部材４側に形成される予備封止部下４２と、予備係止具７と、により構成される。
【００３７】
予備封止部上３２は、図５、６、１２に示すように、部品実装面２ａ及び半田面２ｂに沿って突出形成された部位であって、連結部３４を介して上ケース部材３に接続されている。
予備封止部上３２は、下ケース部材４側に向かって突出する凸部３２１を備えている。この凸部３２１には、凸部３２１の突出方向に向けて開口し、予備係止具７の一部が挿入可能な開口部３２２が形成されている。また、開口部３２２内には、開口部３２２と開口方向が直交する窓部３２２ａが形成されている。
【００３８】
予備封止部下４２は、図５、１２に示すように、部品実装面２ａ及び半田面２ｂに沿って突出形成された部位であり、下ケース部材４に一体的に形成されている。
予備封止部下４２は、凸部３２１と予備係止具７を収容可能な凹部４２１、予備係止具７を上ケース部材３側に向かって挿入可能な挿入口４２２を備えている。
また、凹部４２１には、予備係止具７を保管するための台座４２３が設けられている。
【００３９】
予備係止具７は、図９に示すように、蓋部７１と、側部７２とを備え、中空の略直方体形状を有している。
側部７２には、開口部３２２の窓部３２２ａに係止可能な鈎状の爪部７２１が形成されている。
【００４０】
係止孔１２ａは、図１２に示すように、上ケース部材３と下ケース部材４とを組合せたケース閉状態となり（図１２（ｂ）参照）、凸部３２１が凹部４２１に収容されることにより形成される孔であって、挿入口４２２からカバー部材５までを開口部３２２を介して連通させた「穴」として構成されている。
挿入口４２２と開口部３２２は、図１２に示すように、側部７２が通過可能（ただし、爪部７２１の弾性変形により通過可能）、かつ蓋部７１が通過不能な大きさを有している。
【００４１】
このような構成により、予備係止具７を挿入口４２２から係止孔１２ａに押し込み挿入することにより、図１２（ｃ）に示すように、爪部７２１が開口部３２２内の窓部３２２ａに係止される。
【００４２】
このような状態において、予備係止具７を係止孔１２ａから脱抜するには、爪部７２１を側部７２内側に押し込む外力を加える必要があるが、爪部７２１は予備封止部上３２と予備封止部下４２に囲まれ外部から遮断された状態にあることから、予備係止具７は実質的に係止孔１２ａから脱抜不能となる。
【００４３】
さらに、挿入口４２２は、これより大きく形成された蓋部７１により塞がれるとともに、蓋部７１の周縁７１１が収まる凹部４２２ａを周縁に備えている。この凹部４２２ａは、蓋部７１よりも僅かに大きい外形を有するとともに、蓋部７１の板厚とほぼ同じ又は蓋部７１の板厚よりも深い窪みを有している。
これにより、蓋部７１が凹部４２２ａに収まった状態では、挿入口４２２から係止孔１２ａへの侵入経路がクランク状となることから、係止孔１２ａへの侵入が困難となり、爪部７２１に対する不正操作を阻止することができる。
【００４４】
このように予備封止部１２は、蓋部７１が挿入口４２２を塞ぐことから、挿入口４２２からの異物の侵入を阻止することができる。
【００４５】
また、予備封止部１２は、予備係止具７の挿入方向が本係止具６の挿入方向と異なる。
具体的には、本係止具６の挿入方向が主制御基板２の実装面２ａ及び半田面２ｂに沿う方向であるのに対し、予備係止具７の挿入方向は、本係止具６の挿入方向に直交する、主制御基板２の半田面２ｂから実装面２ａに向かう方向となっている。
このように挿入方向を違えることにより、例えば、遊技機メーカー出荷時においては本来、本封止部１１を使用するところを、誤って予備封止部１２を使用することなどの係止具の差し間違いが防止される。
また、挿入方向の違いは係止具の形状の違いでもあり、これにより係止具の種類が増えることになるから、係止具の形状を模した不正なコピー品が出回ることを抑制できる。
【００４６】
カバー部材５は、透明な合成樹脂（例えば、ポリカーボネート）により形成された断面略コの字状の部材であり、図６、図７に示すように、本封止部１１、予備封止部１２それぞれを覆うとともに、連結部３４を視認可能かつせん断不能に覆うように構成されている。
具体的には、カバー部材５は、本封止部上３１、予備封止部上３２及び連結部３４を覆う上面部５１と、本封止部上３１及び予備封止部上３２の側面を覆う側面部５２と、を備えている。
上面部５１には、他の部分よりも薄肉形成された薄肉部５１１が設けられている。この薄肉部５１１が連結部３４を覆うようになっている。薄肉部５１１の端部には、把手５１２が設けられ、これをつまんで上方に持ち上げることで、薄肉部５１１を破断させ、連結部３４を外部に露出させることができる。
側面部５２には、本封止部上３１及び予備封止部上３２の側面に形成された係止爪３３に係止する開口部５２１が形成されている。
【００４７】
このようなカバー部材５は、下ケース部材４側から螺入されるネジにより上ケース部材３に固定される。
ネジの螺入方向を下ケース部材４側からとすることで、上ケース部材３と下ケース部材４とを閉じたケース閉状態では、ネジへのアクセスが下ケース部材４によって妨げられ、カバー部材５が上ケース部材３から脱離できないようになっている。
【００４８】
［封止解除手段］
このようなカバー部材５を破壊するとともに、連結部３４をせん断することにより、本封止部１１、予備封止部１２それぞれによる封止状態を以下のように解除することができる。
なお、以下の説明では、主基板ユニット１が本封止部１１により封止された状態にあり、予備封止部１２による封止状態が非封止状態にあるものとし、本封止部１１による封止状態を解除する場合について説明する。
【００４９】
まず、図１３（ａ）に示す封止解除前の状態において、把手５１２をペンチ等の工具を用いてつまんで上方に持ち上げることで、封止解除手段の一例として機能する薄肉部５１１を破断させる。その結果、図１３（ｂ）に示すように、連結部３４が外部に露出されるとともに、薄肉部５１１が修復不能となり、開封の痕跡を残すことができる。このとき、予備封止部１２に対応する薄肉部５１１は、破断操作が不要であるため、再封止後の開封まで、その形態がそのまま残される。
そして、図１３（ｃ）に示すように、ニッパー等のせん断工具を用いて、上面部５１と側面部５２との接合部分であり、封止解除手段の一例として機能する接合部５２ａ〜５２ｄの４箇所をせん断する。
【００５０】
接合部５２ａ〜５２ｄのせん断により、本封止部１１側における上面部５１と側面部５２との接合関係は解除される。続いて、図１３（ｄ）に示すように、連結部３４をさらに露出させるために、連結部３４に近接する部分の側面部５２を除去する。
そして、ニッパー等のせん断工具を用いて、図１３（ｅ）に示すように、封止解除手段の一例として機能する連結部３４（２箇所）をせん断する。
これにより、本封止部上３１は、上ケース部材３から分断されるため、これに伴い、上ケース部材３は、本封止部上３１のみならず、下ケース部材４との係わりもなくなる。
これにより、上ケース部材３を上方に持ち上げることで、主基板ユニット１を開放させることができる。
【００５１】
このような封止解除手段は、本封止部１１による封止状態を解除するときのみならず、予備封止部１２による封止状態を解除するときも同様な構成を有している。これにより、予備係止具７の挿入方向と本係止具７の挿入方向とが異なっているとしても、封止解除手段が同じなので、解除に係る手順等を間違えるミスが防止されるとともに、主基板ユニット１の開封を伴う主制御基板２のメンテナンスや確認作業が容易となる。
【００５２】
設定キーユニット８は、図１４に示すように、予め６段階に分けて設定されたボーナスなどの役の当選確率をいずれかの段階に設定変更可能な錠前タイプのスイッチ（不図示）と、このスイッチと主制御基板２とを接続するコネクタ付きのケーブル（不図示）と、これらを覆うユニットホルダー８０及び蓋カバー８１などを備えている。
このような設定キーユニット８は、ユニットホルダー８０の周縁に突設された係合部８２を上ケース部材３に形成された被係合部３６に係入させるとともに、ユニットホルダー８０に形成された固定部８３のネジ孔にネジ８４を貫通させ、貫通させたネジ８４を上ケース部材３に形成されたボス穴３７に螺入させることにより、固定することができる。
【００５３】
このような設定キーユニット８は、スロットマシン１００の出玉に影響を及ぼす重要な部品であることから、不正改造等の目的で簡単に取り外すことができないように取り付ける必要がある。
そこで、ネジ８４にアクセスできないように、ネジ８４上部を被覆するネジカバー部材９を備えている。
【００５４】
ネジカバー部材９は、図１５に示すように、断面略コの字状に形成された合成樹脂部材であり、ネジ８４上部を覆う上面部９１と、二つの側面部９２，９３を備えている。
側面部９２は、断面コの字状に形成された引掛部９２１を備え、側面部９３は、鈎状に形成された爪部９３１を備えている。
このような構成により、引掛部９２１及び爪部９３１を固定部８３に係合させることで、ネジカバー部材９を固定部８３から脱抜不能にすることができる。
【００５５】
例えば、図１６（ａ）に示すように、引掛部９２１を固定部８３に形成された係止孔８３１に係止させ、これを支点に、ネジカバー部材９を下方に回動させるとともに、ネジカバー部材９を固定部８３に押し込む。
これにより、図１６（ｂ）に示すように、爪部９３１が固定部８３に形成された係止孔８３２に係止される。
この爪部９３１は外部からアクセス不能となり、ネジカバー部材９は脱抜不能にネジ８４を被覆する。
これにより、不正改造等の目的で取り外す行為から設定キーユニット８を保護することができる。
【００５６】
以上説明したように、本実施形態のスロットマシン１００は、本係止具６が二つの係止部を備えることにより、係止部が一つのものよりも係止孔１１ａからの脱抜がさらに困難となる。また、対向面６２１ａが前方開口部３１２ｂを塞ぎ、蓋部６３が挿入口４１２を塞ぐことから、前方開口部３１２ｂ及び挿入口４１２からの異物の侵入を阻止することができる。
【００５７】
一方、従来の遊技機では、二つの係止部を備えるものの、後方係止部が前方係止孔の入口を塞ぐように構成されていないことから、前方係止部へのアクセスが可能となり、前方係止部の係止状態が容易に解除されるおそれがあった。
【００５８】
本実施形態のスロットマシン１によれば、従来の遊技機が改善すべきこのような課題の全部又は一部などを解決することができる。
【００５９】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００６０】
例えば、本実施形態では、本封止部１１、予備封止部１２をそれぞれ２か所ずつ設けたが、それぞれ１か所ずつでもよく、又はそれぞれ３か所以上ずつ設けることもできる。
また、本係止具６は、２つの係止部６１，６２を備える構成としたが、３つ以上の係止部を設けることもできる。この場合、それぞれの係止部は、その前方にある前方係止孔の入口に対向するとともに当該入口よりも大きく形成された対向面を有することが好ましい。
また、本実施形態では、本封止部１１、予備封止部１２を主基板ユニット１の外縁に設けたが、収容される基板に対する不正行為を防止できるのであればその位置は限定されず、例えば、主基板ユニット１の中央などに係止具６，７がケース部材３，４を貫くように設けることもできる。
【００６１】
また、本実施形態では、複数のケース部材を開閉不能に封止する封止部を備える基板ユニットを、主制御基板２を収容する主基板ユニット１に適用したが、副制御基板２１を収容する副基板ユニット２０や、その他の基板を収容する基板ユニットに適用することもできる。
【００６２】
また、凹部４１１内面をコの字状の金属板（例えば、ステンレス板）で覆うこともできる。これにより、ドリル等の穿孔工具を用いて、凹部４１１底面を開口するとともに、爪部６１３，６２３を操作して、本係止具６を脱抜する行為を排除できる。
【００６３】
また、本実施形態では、主制御基板２を上ケース部材３に固定したが、下ケース部材４に固定することもできる。
また、上ケース部材３が備える構成を下ケース部材４に設け、下ケース部材４が備える構成を上ケース部材３に設けることもできる。例えば、凸部３１１を下ケース部材４に設け、凹部４１１を上ケース部材３に設けることもできる。
【００６４】
また、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【符号の説明】
【００６５】
１  主基板ユニット
２  主制御基板
３  上ケース部材
４  下ケース部材
５  カバー部材
６  本係止具
６１  前方係止部
６２  後方係止部
６２１ａ  対向面
６３  蓋部
７  予備係止具
８  設定キーユニット
９  ネジカバー部材
１０  封止部
１１  本封止部（封止部）
１１ａ  本係止孔
１２  予備封止部
１２ａ  予備係止孔
３１２ｂ  前方開口部（前方係止孔）
４１２  挿入口（後方係止孔）
４１２ａ  凹部
１００  スロットマシン
【図１】
0006749542.tif 000002
【図２】
0006749542.tif 000003
【図３】
0006749542.tif 000004
【図４】
0006749542.tif 000005
【図５】
0006749542.tif 000006
【図６】
0006749542.tif 000007
【図７】
0006749542.tif 000008
【図８】
0006749542.tif 000009
【図９】
0006749542.tif 000010
【図１０】
0006749542.tif 000011
【図１１】
0006749542.tif 000012
【図１２】
0006749542.tif 000013
【図１３】
0006749542.tif 000014
【図１４】
0006749542.tif 000015
【図１５】
0006749542.tif 000016
【図１６】
0006749542.tif 000017